(57)【特許請求の範囲】
【請求項１】
ガスコンロ本体の上面にトッププレートを被着すると共にトッププレートに設けた窓穴からガスコンロ本体のコンロ用バーナを露出させ、トッププレートの窓穴とコンロ用バーナとの間に汁受け皿を着脱自在に嵌め込み、五徳枠に複数の五徳爪を装着した五徳をコンロ用バーナに対応するようにトッププレート上に配置したガスコンロであって、
トッププレートは、窓穴の周縁から下方に向けて突設された垂下縁と、垂下縁の下端から窓穴中央側に向けて突設された鍔部と、鍔部の内周端から窓穴中央側に且つ斜め上方に向けて突設された立ち上がり縁と、窓穴の周囲の適所に設けられ垂下縁を窓穴中央側に凸曲させることにより形成された位置決め凸部とを有し、
汁受け皿は、コンロ用バーナが挿通される開口と、開口周縁から下方に向けて突設された内周壁と、内周壁の下端から外方に向けて突設された底壁と、底壁の外周から上方に向けて突設された外周壁と、外周壁の上端から径外方向に突設され前記立ち上がり縁に載置される突縁部と、突縁部の周方向の一部に径内方向に凹設され前記位置決め凸部に嵌合する位置決め凹部と、この位置決め凹部の周方向の両側に径外方向に突設された突片とを有し、
五徳は、五徳枠の外周に下方に向けて突設されその下端が前記トッププレートの鍔部上に載置される垂下縁と、この垂下縁の周方向の一部に設けられ前記突片が入り込む切欠部と、この切欠部から上方に向けて凹設され前記位置決め凸部に嵌合する位置決め凹部とを有し、
前記トッププレートの位置決め凸部に、汁受け皿の位置決め凹部と、五徳の位置決め凹部とを嵌合したことを特徴とするガスコンロ。
【請求項２】
前記汁受け皿の外周壁に通気穴が設けられていることを特徴とする請求項１記載のガスコンロ。
【発明の詳細な説明】
【０００１】
【発明の属する技術分野】
本発明は、ガスコンロでトッププレート上に五徳や汁受け皿をセットする構造に関するものである。
【０００２】
【従来の技術及び発明が解決しようとする課題】
一般に、ガスコンロはガスコンロ本体の上面にトッププレートを被着すると共にトッププレートに設けた窓穴からガスコンロ本体のコンロ用バーナを露出させてあり、また鍋等を支持するために五徳枠に複数の五徳爪を装着した五徳がコンロ用バーナに対応するようにトッププレート上に載置される。
【０００３】
ところで、こんろ用バーナの火炎が強い位置に五徳爪を配置すると、ＣＯの発生などが起こって燃焼性を阻害するおそれがある。このため、五徳をトッププレートの上に載置するとき五徳の位置を位置決めして五徳爪の位置とコンロ用バーナの火炎が弱い位置とを対応させる必要がある。
【０００４】
従来、五徳枠１に五徳爪２を装着した五徳３をトッププレート４の上に位置決めを行う場合、図１０に示すようにトッププレート４に位置決めのための穴５を設け、五徳枠１の下面に設けた位置決めのための突起６を穴５に嵌合していた。ところが、かかる従来例ではトッププレートに穴５を設けるためにトッププレート４の上に零れた煮汁が穴５からガスコンロ本体に浸入するという問題がある。
【０００５】
この問題をなくすためにトッププレートにボルトを装着して位置決めのための突起を形成し、五徳側に位置決めのための凹部を設けてこの凹部を上記突起に嵌合するようにしたものもあるが、この場合、別部材のボルトを装着しなければならなく、部品点数が増えると共にボルト装着のための工数が増えるという問題がある。
【０００６】
本発明は叙述の点に鑑みてなされたものであって、五徳を位置決めできるものでありながら煮汁が浸入しないようにできると共に部品点数が増えたり工数が増えたりしないようにできるガスコンロを提供することを課題とする。
【０００７】
【課題を解決するための手段】
上記課題を解決するため本発明のガスコンロは、ガスコンロ本体の上面にトッププレート４を被着すると共にトッププレート４に設けた窓穴７からガスコンロ本体のコンロ用バーナを露出させ、トッププレート４の窓穴７とコンロ用バーナとの間に汁受け皿１０を着脱自在に嵌め込み、五徳枠１に複数の五徳爪２を装着した五徳３をコンロ用バーナに対応するようにトッププレート４上に配置したガスコンロであって、トッププレート４は、窓穴７の周縁から下方に向けて突設された垂下縁１４と、垂下縁１４の下端から窓穴７中央側に向けて突設された鍔部１５と、鍔部１５の内周端から窓穴７中央側に且つ斜め上方に向けて突設された立ち上がり縁１６と、窓穴７の周囲の適所に設けられ垂下縁１４を窓穴７中央側に凸曲させることにより形成された位置決め凸部８とを有し、汁受け皿１０は、コンロ用バーナが挿通される開口２５と、開口２５周縁から下方に向けて突設された内周壁１９と、内周壁１９の下端から外方に向けて突設された底壁１８と、底壁１８の外周から上方に向けて突設された外周壁１７と、外周壁１７の上端から径外方向に突設され前記立ち上がり縁１６に載置される突縁部２１と、突縁部２１の周方向の一部に径内方向に凹設され前記位置決め凸部８に嵌合する位置決め凹部１１と、この位置決め凹部１１の周方向の両側に径外方向に突設された突片とを有し、五徳３は、五徳枠１の外周に下方に向けて突設されその下端が前記トッププレート４の鍔部１５上に載置される垂下縁２２と、この垂下縁２２の周方向の一部に設けられ前記突片が入り込む切欠部２３と、この切欠部２３から上方に向けて凹設され前記位置決め凸部８に嵌合する位置決め凹部９とを有し、前記トッププレート４の位置決め凸部８に、汁受け皿１０の位置決め凹部１１と、五徳３の位置決め凹部９とを嵌合したことを特徴とする。トッププレート４の位置決め凸部８と五徳３の位置決め凹部９とが嵌合することで五徳３が所定位置に位置決めされて五徳３が燃焼性を阻害することがない。このときトッププレート４に位置決め凸部８が形成されているために従来のようにトッププレート４に穴がなくてガスコンロ本体の方に煮汁が浸入するおそれがない。またトッププレート４を凸曲することにより位置決め凸部８を形成してあるために従来のように部品点数が増えたり工数が増えたりするおそれがない。
またトッププレート４の位置決め凸部８と汁受け皿１０の位置決め凹部１１とが嵌合することで汁受け皿１０も所定位置に位置決めして取り付けられる。このようにトッププレート４に設けた位置決め凸部８に五徳３の位置決め凹部９及び汁受け皿１０の位置決め凹部１１を嵌合して位置決めできるためにトッププレート４の位置決め凸部８を共用して五徳３及び汁受け皿１０の位置決めができる。
【０００８】
また汁受け皿１０の外周壁１７に通気穴２０が設けられていることを特徴とすることも好ましい。汁受け皿１０に通気穴２０が設けられていると、燃焼用二次空気を導入したりすることができて、燃焼性を阻害しないようにできる。
【０００９】
【発明の実施の形態】
ガスコンロ本体の上に載設するトッププレート４は図２乃至図４に示すような矩形状に金属板にて形成されており、周辺にはフランジ部１２を全周に亙って設けてある。トッププレート４には複数の窓穴７を貫通するように設けてあり、ガスコンロ本体のコンロ用バーナを窓穴７から露出させられるようになっている。本例の場合、火力が大のコンロ用バーナを露出させる窓穴７ａと、火力が標準のコンロ用バーナを露出させる窓穴７ｂと、火力が小のコンロ用バーナを露出させる窓穴７ｃとを設けてある。
【００１０】
各窓穴７の周縁には上面側に向かった僅かに突出する凸条部１３を全周に亙って設けてあり、この凸条部１３の内周から下方に向けて突出する垂下縁１４を全周に亙って設けてあり、垂下縁１４の下端から内周方向に突出する鍔部１５を全周に亙って設けてあり、鍔部１５の先端から斜め上方に立ち上がる立ち上がり縁１６を全周に亙って設けてある。この窓穴７の周縁の周方向に一部には垂下縁１４及び鍔部１５を凸曲させることにより突出する位置決め凸部８を形成してある。
【００１１】
汁受け皿１０は図８、図９に示すように円環状に形成されており、中央にコンロ用バーナを挿通する開口２５を有している。汁受け皿１０は全周に亙る外周壁１７と全周に亙る円環状の底壁１８と全周に亙る内周壁１９とを有しており、外周壁１７には周方向に長い長穴状の通気穴２０を周方向に等間隔に穿孔してある。汁受け皿１０の外周壁１７の上端には外周方向に突出する突縁部２１を突設してあり、突縁部２１の周方向の一部にはコ字状に切り欠いた形状の位置決め凹部１１を凹設してあり、底壁１８には位置決め凹部１１の位置を示す目印２２を設けてある。
【００１２】
この汁受け皿１０は窓穴７縁とコンロ用バーナとの間に落とし込むように嵌め込まれ、突縁部２１が鍔部１５や立ち上がり縁１６の上に載置されて取り付けられる。このとき位置決め凹部１１が位置決め凸部８に対応させられ、図１（ｂ），図２に示すように示すように位置決め凹部１１が位置決め凸部８に嵌合される。図２では窓穴７ｂに汁受け皿１０を取り付けた状態を図示してある。これにより汁受け皿１０が周方向に位置決めして取り付けられ、コンロ用バーナに対して通気穴２０が所定位置で対応する。
【００１３】
五徳３は図６、図７に示すように円環状の五徳枠１に複数個の五徳爪２を等間隔に装着して形成されている。五徳枠１の外周には垂下縁２２が設けられるが、この垂下縁２２の周方向に一部には下から上に切欠した切欠部２３を設けてあり、切欠部２３の中央には上方に向けて凹設した位置決め凹部９を設けてある。五徳枠１の上面には位置決め凹部９の位置を示す目印２４を設けてある。この五徳３は汁受け皿１０の上から載置され、垂下縁２２の下端が鍔部１５に載るように五徳３が載置される。このとき五徳３の位置決め凹部９とトッププレート４の位置決め凸部８とが対応させられ、図１（ａ）図２に示すように位置決め凹部９が位置決め凸部８に嵌合させられる。図２には窓穴７ａに五徳３を載置した状態が図示してある。これにより五徳３が所定位置に位置決めして取り付けられ、コンロ用バーナの火炎の弱い部分と五徳爪２とが対応して燃焼性が阻害されない。
【００１４】
【発明の効果】
本発明の請求項１の発明は、トッププレートの位置決め凸部と五徳の位置決め凹部とが嵌合しているので、五徳が所定位置に位置決めされて五徳が燃焼性を阻害することがないものであり、しかもトッププレートに位置決め凸部が形成されているために従来のようにトッププレートに穴がなくてガスコンロ本体の方に煮汁が浸入するおそれがないものであり、またトッププレートを凸曲することにより位置決め凸部を形成してあるために従来のように部品点数が増えたり工数が増えたりするおそれがないものである。
そのうえトッププレートの窓穴とコンロ用バーナとの間に汁受け皿を着脱自在に嵌め込むと共に汁受け皿の周方向の適所に凹設した位置決め凹部も位置決め凸部に嵌合しているので、汁受け皿も所定位置に位置決めして取り付けられるものであり、汁受け皿の位置も位置決めすることにより燃焼性を阻害しないようにできるものであり、また上記ようにトッププレートに設けた位置決め凸部に五徳の位置決め凹部及び汁受け皿の位置決め凹部を嵌合して位置決めできるためにトッププレートの位置決め凸部を共用して五徳及び汁受け皿の位置決めができるものである。
【００１５】
また本発明の請求項２の発明は、請求項１において、汁受け皿の外周壁に通気穴が設けられているので、燃焼用二次空気を導入したりすることができて、燃焼性を阻害しないようにできる。
【図面の簡単な説明】
【図１】本発明の実施の形態の一例の要部を示し、（ａ）は五徳を位置決めして取り付けた状態の要部の断面図、（ｂ）は汁受け皿を位置決めして取り付けた状態の要部の断面図である。
【図２】同上のトッププレートに五徳や汁受け皿を取り付けた状態の平面図である。
【図３】同上のトッププレートの斜視図である。
【図４】同上のトッププレートを示し、（ａ）は平面図、（ｂ）は正面から見た断面図、（ｃ）は側面から見た断面図である。
【図５】同上の位置決め凸部の部分を示し、（ａ）は平面図、（ｂ）は側面から見た断面図である。
【図６】同上の五徳の斜視図である。
【図７】同上の五徳を示し、（ａ）は平面図、（ｂ）は側面から見た断面図、（ｃ）は位置決め凹部の部分を拡大せる正面図である。
【図８】同上の汁受け皿の斜視図である。
【図９】同上の汁受け皿を示し、（ａ）は平面図、（ｂ）は側面から見た断面図である。
【図１０】従来例を説明する断面図である。
【符号の説明】
１  五徳枠
２  五徳爪
３  五徳
４  トッププレート
７  窓穴
８  位置決め凸部
９  位置決め凹部
１０  汁受け皿
１１  位置決め凹部
【図１】
0004527900.tif 000002
【図２】
0004527900.tif 000003
【図３】
0004527900.tif 000004
【図４】
0004527900.tif 000005
【図５】
0004527900.tif 000006
【図６】
0004527900.tif 000007
【図７】
0004527900.tif 000008
【図８】
0004527900.tif 000009
【図９】
0004527900.tif 000010
【図１０】
0004527900.tif 000011